(57)【要約】【課題】  予期しない高温度環境に温水パイプユニット１Ａがさらされたときにも、温水パイプ２０の伸びを上部カバー３０のパイプ収容溝３１内に押さえ得るようにし、それにより、粘着積層部Ｗ１１の破壊や温水パイプ２０の飛び出しが起こらないようにする。【解決手段】  基材シート１０と上部カバー３０との間に温水パイプ２０を収容した形態の温水式床暖房フロア用の温水パイプユニット１Ａにおいて、基材シート１０と上部カバー３０の４周囲における粘着積層部の幅Ｗ１１，Ｗ２を、温水パイプ２０の直線状部２１に沿う両側部分１２での幅Ｗ２に比べて、Ｕターン部２２に沿う両側部分は幅Ｗ１１を３倍〜１０倍程度広いものとする。【選択図】  図１
2005188889.tif 000002
【特許請求の範囲】
【請求項１】
連通する温水パイプが複数列の直線状部とその両端側のＵターン部とを有するパイプパターンで基材シートの上面に保持されており、かつパイプ収容溝を備えた上部カバーがパイプ収容溝に温水パイプを収容した状態で少なくともその４周囲を基材シートに粘着積層することにより一体化されている温水式床暖房フロア用の温水パイプユニットであって、基材シートと上部カバーの４周囲における粘着積層部の幅が、パイプパターンの直線状部に沿う両側部分よりも、Ｕターン部に沿う両側部分が広くされていることを特徴とする温水パイプユニット。
【請求項２】
Ｕターン部に沿う両側部分の粘着積層部の幅は、直線状部に沿う両側部分の粘着積層部の幅の３倍以上であることを特徴とする請求項１に記載の温水パイプユニット。
【請求項３】
Ｕターン部に沿う両側部分の粘着積層部の幅は、２０ｍｍ〜１５０ｍｍの範囲であることを特徴とする請求項１または２に記載の温水パイプユニット。
【請求項４】
Ｕターン部に沿う両側部分の粘着積層部には、直線状部に直交する方向の少なくとも１本以上の易破断線が形成されていることを特徴とする請求項１〜３のいずれかに記載の温水パイプユニット。
【発明の詳細な説明】
【技術分野】
【０００１】
本発明は、温水式床暖房フロアを施工する際に使用する温水パイプユニットに関する。
【背景技術】
【０００２】
床下地の上に配設された温水パイプに温水を通すことによって暖房を行う温水式の床暖房フロアは知られている。施工の容易さから、所定のパターンに折り曲げた温水パイプを矩形状の基材シートの上に配置した後、全体を上部カバーで覆うことにより形成した温水パイプユニットを床下地面に配置し、その上に、裏面に温水パイプのパターンに沿った凹溝を形成した木質系床材を敷設するようにした、半分離タイプの床暖房施工方法が多く採用されている（特許文献１：特開２００３−２１３４５号公報など参照）。温水パイプには、通常、架橋ポリエチレンタイプの合成樹脂のような材料が用いられる。
【０００３】
図４はそのような施工方法で用いられる温水パイプユニット１の一例を示しており、図５は図４でのＸ−Ｘ線での断面領域を分解して示している。また、図６は図４での領域Ｓの部分を拡大して示している。基材シート１０は平面視矩形状であり、その上に、複数列の直線状部２１とその両端側のＵターン部２２とを有するパイプパターンとされた長尺の温水パイプ２０がほぼ全面にわたって配置されている。この温水パイプ２０を覆うように、基材シート１０と同じ大きさでありかつパイプ収容溝３１を備えた上部カバー３０が、パイプ収容溝３１に温水パイプ２０を収容した状態で載置され、基材シート１０と上部カバー３０の少なくとも４周囲の部分が適宜の粘着剤を用いて粘着積層されることにより、全体が一体化されている。
【０００４】
このような温水パイプユニット１の複数枚が床下地上に配置され、床暖房として必要な所要面積の熱源部分が形成される。複数枚の温水パイプユニット１を縦方向および横方向に敷き詰めるときに、接続目地部での重なり部が生じないように、基材シートと上部カバーの４周囲における粘着積層部の幅Ｗ１，Ｗ２は比較的狭くされ、かつ、パイプパターンの直線状部に沿う両側部分での粘着積層部の幅Ｗ２とＵターン部に沿う両側部分での粘着積層部の幅Ｗ１も、通常、等しくされている。
【０００５】
【特許文献１】特開２００３−２１３４５号公報
【発明の開示】
【発明が解決しようとする課題】
【０００６】
工場で製造された温水パイプユニット１は、一旦は倉庫などに保管され、市場の要請に応じて、施工店主側へ引き渡されあるいは各施工現場へ搬入される。そのような保管の過程であるいは輸送中などに、温水パイプユニットが予期しない高温環境（例えば、４０℃以上）にさらされることは十分に予測される。一方、温水パイプは前記のように架橋ポリエチレンタイプの合成樹脂のような材料で作られており、その線方向の熱膨張率は基材シート１０や上部カバー３０よりも大きい。
【０００７】
そのために、温水パイプユニット１が予期しない高温環境にさらされ、中に収容した温水パイプ２０が熱膨張を受けると、その膨張は主に長手方向の延伸として現れ、図７に示すように、温水パイプ２０のＵターン部２２が、パイプパターンのＵターン部２２に沿う両側１１の領域で上部カバー３０のパイプ収容溝３１の端部３２に衝突することが起こる。そして、さらに温水パイプ２０の直線状部２１の伸びが大きくなると、衝接部近傍での基材シート１０と上部カバー３０の粘着積層部Ｗ１の粘着力が温水パイプ２０の伸張力に負けてしまい、粘着積層部Ｗ１が破壊される場合がある。極端な場合には、図７に示すように、温水パイプ２０のＵターン部２２が粘着積層部Ｗ１の外側にまで飛び出してしまうことも起こり得る。
【０００８】
このような粘着積層部に破壊や温水パイプの飛び出しが生じた温水パイプユニットは、市場に供することができないので、高い製品歩留まり率を確保するために、保管時や輸送時の温度管理に十分な注意を払う必要がある。４０℃のような高温で粘着力が大きい粘着剤を用いて粘着積層部の粘着力を向上させ、温水パイプの伸びを押さえ付けることが一応は可能であるが、高温での粘着力が大きい粘着剤は、冬場での保管時におけるような低温時での粘着力が低下してしまうので、有効な解決策とはならない。
【０００９】
本発明は、上記のような事情に鑑みてなされたものであり、低温時での十分な粘着力を維持しながら、予期しない高温度環境に温水パイプユニットがさらされたときにも、温水パイプの伸びを上部カバーのパイプ収容溝内に押さえ得るようにし、それにより、粘着積層部の破壊や温水パイプの飛び出しが起こらないようにした、より改良された温水パイプユニットを提供することを目的とする。
【課題を解決するための手段】
【００１０】
上記の課題を解決するための本発明による温水パイプユニットは、連通する温水パイプが複数列の直線状部とその両端側のＵターン部とを有するパイプパターンで基材シートの上面に保持されており、かつパイプ収容溝を備えた上部カバーがパイプ収容溝に温水パイプを収容した状態で少なくともその４周囲を基材シートに粘着積層することにより一体化されている温水式床暖房フロア用の温水パイプユニットにおいて、基材シートと上部カバーの４周囲における粘着積層部の幅が、パイプパターンの直線状部に沿う両側部分よりも、Ｕターン部に沿う両側部分が広くされていることを特徴とする。
【００１１】
上記の温水パイプユニットでは、パイプパターンの直線状部に沿う両側部分での基材シートと上部カバーとの粘着積層部の幅は、従来の温水パイプユニットと同様の幅でよく、複数枚の温水パイプユニットを横方向に並べて敷き詰めたときに、接合目地部に不必要に重なり部が生じることはない。
【００１２】
一方、パイプパターンのＵターン部に沿う両側部分での基材シートと上部カバーとの粘着積層部の幅は、直線状部に沿う両側部分の幅よりも広くされており、粘着面に沿う方向に作用する力に対する粘着積層部の抵抗力は、従来のものよりも大きくなっている。そのために、保管時などに温水パイプユニットが予期しない高温環境にさらされ、中に収容した温水パイプが長手方向に伸びて、温水パイプのＵターン部が上部カバーのパイプ収容溝端部に衝突することになっても、その直線方向に伸びようとする力は粘着積層部の粘着力（抵抗力）で押さえられ、長手方向の伸びは直線状部のわずかな横変位として吸収される。それにより、粘着積層部の破壊やＵターン部の外への飛び出しは効果的に阻止される。
【００１３】
Ｕターン部に沿う両側部分の粘着積層部の幅を、直線状部に沿う両側部分の粘着積層部の幅よりもどの程度だけ広くするかは、当該温水パイプユニットの大きさや使用する材料、さらには置かれる温度環境などを考慮して実験的に最適値を決めればよい。本発明者の実験では、これまで市場に出でいる温水パイプユニットにおいて、Ｕターン部に沿う両側部分の粘着積層部の幅が直線状部に沿う両側部分の粘着積層部の幅の３倍程度あるいはそれ以上であれば、十分に所期の目的を達成できることを確認している。より具体的には、Ｕターン部に沿う両側部分の粘着積層部の幅は、２０ｍｍ〜１５０ｍｍの範囲であれば、満足できる結果が得られる。２０ｍｍ以下では、温水パイプの熱膨張による伸びを十分に抑制できない場合があり、１５０ｍｍを越えるものは十分な抵抗は得られるものの、材料が無駄となり好ましくない。また、縦方向に並べて敷き詰めるときに接合目地部の重なり部が大きくなる。
【００１４】
本発明の温水パイプユニットにおいて、好ましくは、Ｕターン部に沿う両側部分の粘着積層部には、温水パイプの直線状部に直交する方向に少なくとも１本以上の易破断線が形成される。このような易破断線を設けることにより、施工時に不要となる粘着積層部の領域を容易に除去することができるので、縦方向に並べて敷き詰めるときに、発熱源のない接合目地部の幅を、重なり合いのない状態で、パイプパターンの直線状部に沿う両側部分で接合目地部の幅と同じように狭いものとすることができる。２本以上の易破断線を設けておけば、施工現場に応じて接合目地部の幅を容易に調整することもできる。易破断線はミシン目が好ましいが、その部分を極薄状とするような手段でもよい。
【発明の効果】
【００１５】
本発明による温水パイプユニットは、低温時での十分な安定性を維持しながら、保管時や輸送時に予期しない高温度環境にさらされたときの温水パイプの伸びに対しても十分な安定性を持つ。それにより、粘着積層部の破壊や温水パイプの飛び出しは抑制され、製品歩留まり率を高くすることができる。
【発明を実施するための最良の形態】
【００１６】
以下、実施の形態に基づき本発明を説明する。図１は本発明による温水パイプユニットの一例を示す平面図であり、図２はその使用状態を説明する平面図である。図示される温水パイプユニット１Ａは、４周囲での粘着積層部の幅Ｗ１，Ｗ２における、パイプパターンのＵターン部に沿う両側部分１１での粘着積層部の幅Ｗ１１が、パイプパターンの直線状部に沿う両側部分１２での粘着積層部の幅Ｗ２よりも広くされていることを除いて、図４に基づき一例を説明した従来知られた温水パイプユニット１と同様であってよい。従って、同じ部材には同じ符号を付し、詳細な説明は省略する。
【００１７】
すなわち、温水パイプユニット１Ａにおいて、パイプパターンのＵターン部２２に沿う両側部分１１での粘着積層部の幅Ｗ１１は、パイプパターンの直線状部２１に沿う両側部分１２での粘着積層部の幅Ｗ２よりも広く、この例において、４〜５倍程度に広くされている。一例として、パイプパターンの直線状部２１に沿う両側部分１２の粘着積層部の幅Ｗ２が７〜８ｍｍであれば、Ｕターン部２１に沿う両側部分１１の粘着積層部の幅Ｗ１１は、２０ｍｍ程度以上、例えば２０〜１５０ｍｍ程度の幅とされる。
【００１８】
そして、該幅広とされたＵターン部２２に沿う両側部分の粘着積層部には、直線状部２１に直交する方向に少なくとも１本以上（図では３本が示される）のミシン目のような易破断線４０が形成されている。
【００１９】
上記の構成である本発明による温水パイプユニット１Ａは、パイプパターンのＵターン部２２に沿う両側部分１１での基材シートと上部カバーとの粘着積層部の幅Ｗ１１が十分に広くされており、粘着面に沿う方向に作用する力に対する粘着積層部の抵抗力は従来のものよりも大きい。そのために、保管時などに温水パイプユニット１Ａが予期しない高温環境にさらされ、温水パイプ２０が長手方向に大きく伸張しようとしても、その直線方向に伸びようとする力は、幅Ｗ１１である粘着積層部の粘着力（抵抗力）で押さえられる。結果として、長手方向の伸びは実質的に直線状部２１のわずかな横変位として現れるが、この変位量は上部カバー３０のパイプ収容溝３１内に収まる程度であり、温水パイプユニット１Ａの形状が実質的に変化することはない。
【００２０】
本発明による温水パイプユニット１Ａを用いての床暖房施工は従来法と同様であってよく、床下地に必要枚数が敷き詰められ、また温水パイプ２０と図示しないボイラーのような温水源との配管接続が行われる。その際に、パイプパターンの直線状部２１に沿う両側部分１２での粘着積層部の幅Ｗ２は、従来の温水パイプユニットと同じなので、複数枚の温水パイプユニット１Ａを横方向に並べて敷き詰めたときに、接合目地部に不必要な重なりは生じない。
【００２１】
しかし、縦方向に並べて敷き詰めるときに、幅Ｗ１１が従来のものよりも広くなっており、従来どおりに敷き詰めると接合目地部に重なりが生じる。重なりを解消しようとすると、縦方向の接合目地部が必要以上に広くなる。ミシン目のような易破断線４０はそれを回避するために設けてあり、施工現場での事情に応じて、作業者はいずれかの易破断線４０から幅Ｗ１１である粘着積層部の一部を除去し、図２に示すように、温水パイプユニット１Ａ同士の縦方向の接合目地部Ｗ３が適切な幅となるようにする。
【００２２】
本発明による温水パイプユニット１Ａにおける前記Ｕターン部２２に沿う両側部分１１の粘着積層部の幅Ｗ１１が直線状部分に沿う両側部分１２の粘着積層部の幅Ｗ２よりも広くされていることから、次のような付随的な効果がもたらされる。床暖房施工において、図１あるいは図２に示すようにして床下地面の上に温水パイプユニット１Ａを敷き詰めた後、図３に示すように、裏面に温水パイプ２０のパターンに沿った凹溝５１を形成した木質系床材５０を敷設して、床暖房フロアとされるが、その際に、Ｕターン部２２に沿う両側部分１１には周辺パネルとして凹溝のない木質系床材５５が配設される。従来の温水パイプユニット１の場合には、Ｕターン部２２に沿う両側部分１１の粘着積層部の幅Ｗ１が狭く、その先端が周辺パネルである木質系床材５５の裏面にまで達しなかったので、周辺パネルである木質系床材５５と木質系床材５０の間に段差が生じることがあった。そのために、周辺パネル側の裏面にシートを敷設して段差を解消するような作業が行われていたが、本発明による温水パイプユニット１Ａではその部分の幅Ｗ１１が広くされているため、結果として図３に示すように、幅広の部分Ｗ１１の一部が周辺パネルである木質系床材５５の裏面にまで入り込むことができ、前記段差が生じるのが自然に解消される。
【図面の簡単な説明】
【００２３】
【図１】本発明による温水パイプユニットの一例を示す平面図。
【図２】図１に示す温水パイプユニットの使用状態を説明する平面図。
【図３】図１に示す温水パイプユニットを用いた床暖房フロアにおける周辺パネル近辺を断面で示す図。
【図４】従来の温水パイプユニットの一例を示す平面図。
【図５】図４でのＸ−Ｘ線での断面領域を分解して示す図。
【図６】図４での領域Ｓの部分を拡大して示す図。
【図７】温水パイブのＵターン部の伸張により温水パイプユニットが破壊した状態を説明する模式図。
【符号の説明】
【００２４】
１、１Ａ…温水パイプユニット、１０…基材シート、１１…温水パイプユニットのＵターン部に沿う両側部分、１２…温水パイプユニットの直線状部に沿う両側部分、２０…温水パイプ、２１…直線状部、２２…Ｕターン部、３０…上部カバー、３１…パイプ収容溝、３２…パイプ収容溝の端部、４０…易破断線、Ｗ１，Ｗ１１…温水パイプのＵターン部に沿う両側部分での粘着積層部の幅、Ｗ２…温水パイプの直線状部に沿う両側部分での粘着積層部の幅
【図１】
2005188889.tif 000003
【図２】
2005188889.tif 000004
【図３】
2005188889.tif 000005
【図４】
2005188889.tif 000006
【図５】
2005188889.tif 000007
【図６】
2005188889.tif 000008
【図７】
2005188889.tif 000009